【手続補正書】
【提出日】平成16年7月5日(2004.7.5)
【手続補正１】
【補正対象書類名】明細書
【補正対象項目名】特許請求の範囲
【補正方法】変更
【補正の内容】
【特許請求の範囲】
【請求項１】
下記のものを含む、ゴルフバッグ上のポケット及びゴルフバッグ内のゴルフクラブへのアクセスが妨げられないように都合の良い奥まった（ｏｕｔ−ｏｆ−ｔｈｅ−ｗａｙ）配置でゴルフバッグの首の周囲で付着され折りたたまれた条件で位置可能なゴルフバッグのための除去可能なゴルフクラブカバー：
−ゴルフバッグに含まれるゴルフクラブを完全に包囲及び保護するようにゴルフバッグの上部に十分な空間を規定するために広げられた状態でゴルフバッグの首の上で広げることができる、ゴルフバッグの首の領域の周囲に除去可能なように付着された半硬質カバー部材、
−ゴルフバッグの上部で前記の広げられた状態にあるときにゴルフバッグ内のゴルフクラブにアクセスするために前記カバー部材を開放するための手段（前記カバー部材は前記開放手段が開放されているときにゴルフバッグの首の前記付着領域の周囲で広げられた状態から折りたたまれた状態への前記カバー部材の予め決められかつ制御された折り曲げのための少なくとも一つの予め決められた折り曲げ線を含む）、
−前記カバー部材がゴルフバッグ上のポケット又はゴルフバッグ内のゴルフクラブへのアクセスを妨げないようにゴルフバッグの首の周囲で前記折りたたまれた状態の前記カバー部材を締め付けるための前記カバー部材に付着された手段。
【請求項２】
ゴルフバッグから前記カバー部材を付着及び脱着するための手段をさらに含む請求項１記載のゴルフクラブカバー。
【請求項３】
前記少なくとも一つの予め決められた折り曲げ線が三つの折り曲げ線を含む請求項１記載のゴルフクラブカバー。
【請求項４】
前記カバー部材が二つの表面を含み、前記少なくとも一つの予め決められた折り曲げ線が三つの折り曲げ線を含む請求項１記載のゴルフクラブカバー。
【請求項５】
前記二つの表面の第１表面がゴルフバッグの上でＬ形形状で広がる二つの広がった内縁部分を含み、前記開放手段が前記カバー部材の開放のために前記内縁部分に付着され、前記第２表面がＵ形であり前記第１表面と接合するためにゴルフバッグの上部で広がり、それによってゴルフバッグに含まれるゴルフクラブを完全に包囲及び保護するためにゴルフバッグ上に十分な空間を規定する請求項４記載のゴルフクラブカバー。
【請求項６】
下記のものを含む、ゴルフバッグ上のポケット及びゴルフバッグ内のゴルフクラブへのアクセスが妨げられないように都合の良い奥まった配置でゴルフバッグの首の周囲で付着され折りたたまれた条件で位置可能なゴルフバッグのための除去可能なゴルフクラブカバー：
−ゴルフバッグに含まれるゴルフバッグを完全に包囲及び保護するようにゴルフバッグの上部に十分な空間を規定するために広げられた状態でゴルフバッグの首の上で広げることができる、ゴルフバッグの首の領域の周囲に除去可能なように付着されたカバー部材、
−前記の広げられた状態にあるときにゴルフバッグ内のゴルフクラブにアクセスするための前記カバー部材を開放するための手段（前記カバー部材は前記開放手段が開放されているときにゴルフバッグの首の前記付着領域の周囲で広げられた状態から折りたたまれた状態への前記カバー部材の予め決められかつ制御された折り曲げのための予め決められた折り曲げ線を含む）、
−前記カバー部材がゴルフバッグ上のポケット及びゴルフバッグ内のゴルフクラブへのアクセスを妨げないようにゴルフバッグの首の周囲で前記折りたたまれた状態の前記カバー部材を締め付けるための前記カバー部材に付着された手段（前記締め付け手段は前記開放手段が開放されているときに前記開放手段によって規定される前記カバー部材における開口を横切って広がっている）。
【請求項７】
下記のものを含むゴルフバッグ：
−上部にポケットを有する、内部にゴルフクラブを含むためのゴルフバッグ、
−前記ゴルフバッグに含まれるゴルフバッグを完全に包囲及び保護するようにゴルフバッグの上部に十分な空間を規定するために広げられた状態で前記首の上で広げることができる、前記ゴルフバッグの首の領域に除去可能なように付着された半硬質ゴルフクラブカバー、
−前記カバーが前記の広げられた状態にあるときに前記ゴルフバッグ内のゴルフクラブにアクセスするために前記カバーを開放するための前記カバーに付着された手段（前記カバーは前記開放手段が開放されているときに前記ゴルフバッグの前記首の前記付着領域の周囲で前記広げられた状態から折りたたまれた状態への前記カバー部材の予め決められかつ制御された折り曲げのための少なくとも一つの予め決められた折り曲げ線を含む）、
−前記カバーが前記ゴルフバッグ上のポケット及びゴルフバッグ内のゴルフクラブへのアクセスを妨げないように前記ゴルフバッグの前記首の周囲で前記折りたたまれた状態の前記カバーを締め付けるための前記カバーに付着された手段。
【請求項８】
前記締め付け手段（ｓｅｃｕｒｉｎｇ  ｍｅａｎｓ）は前記開放手段が開放しているときに前記開放手段によって規定される前記カバーにおける開口を横切って広がる請求項７記載のゴルフバッグ。
【請求項９】
前記締め付け手段は互いに補足し合う脱着可能な固定構成要素を有するストラップを含む請求項８記載のゴルフバッグ。
【請求項１０】
前記締め付け手段は二つのストラップを含む請求項９記載のゴルフバッグ。
【請求項１１】
前記カバーが二つの表面を含み、前記少なくとも一つの予め決められた折り曲げ線が三つの折り曲げ線を含む請求項７記載のゴルフバッグ。
【請求項１２】
下記工程を含む、ゴルフバッグ上で開放可能で折りたたみ可能なゴルフクラブカバーを保管するための方法：
−ゴルフバッグの首の領域に半硬質カバー部材を付着する、
−ゴルフバッグに含まれるゴルフバッグを包囲及び保護するゴルフバッグの上部で広げられた状態にあるときにカバー部材を開放する、
−カバー部材の少なくとも一つの予め決められた折り曲げ線についてゴルフバッグの首の付着領域の周囲でカバー部材を折り曲げる、
−カバー部材がゴルフバッグ上のポケット又はゴルフバッグ内のゴルフクラブへのアクセスを妨げないようにカバー部材に付着されたストラップを用いてゴルフバッグの首に折りたたまれたカバー部材を締め付ける。
【請求項１３】
カバー部材が二つの表面を含み、前記少なくとも一つの予め決められた折り曲げ線が三つの折り曲げ線を含み、ゴルフバッグの首の付着位置の周囲でカバー部材を折り曲げる工程が下記工程を含む請求項１２記載の方法：
−第２表面に隣接するように第１折り曲げ線について第１表面の部分を下に折り曲げる、
−カバー部材がゴルフクラブの首及びゴルフバッグの首の下で広がりゴルフバッグ内のゴルフクラブを自由にアクセスできるように第２折り曲げ線について第２表面を下に折り曲げる、
−ゴルフバッグ上のポケット及びゴルフバッグ内のゴルフクラブが自由にアクセスできるように都合の良い奥まった位置でゴルフバッグの首の周囲でカバー部材をぴったりと包むために第３折り曲げ線について第２表面を折り曲げる。
【請求項１４】
折りたたまれたカバー部材を締め付ける工程がカバー部材が開放されているときに形成された開口を横切ってストラップを広げること及びストラップの端に付着された互いに補足し合う固定構成要素を脱着可能なかみ合わせ状態で固定することを含む請求項１３記載の方法。
【手続補正２】
【補正対象書類名】明細書
【補正対象項目名】００１４
【補正方法】変更
【補正の内容】
【００１４】
カバーは以下で十分説明するように、不使用中の便利な保管のためにバッグ２６の首２４の周囲で折り曲げられたときに首２４の周囲でカバー２０を締め付けるための新規な締め付け手段５４を含む。新規な締め付け手段５４は補足し合う固定構成要素を持つ二つのストラップ６２を含む。ストラップ６２は第２表面３２に各端５６，５８を付着し、各ストラップ６２はその各端５６，５８と第２表面３２の間のストラップ６２の長さを調整するための手段６４を有することが好ましく、それによってカバー２０を首２４に締め付けるときにストラップ６２の緊張を調整することができる。固定構成要素は雄端５６及び雌端５８を含み、それらは雄端５６が雌端５８に挿入されるときにかみ合わせをロックするようになっている。雌端５８はストラップ６２の一方に取り付けられ、雄端５６はストラップ６２の他方に取り付けられる。開示される例では、雌端５８はカバー２０の第２表面３２にストラップ６２によって取り付けられ、第１表面３０の上部垂直部分６０を横切って横方向に配置可能である。雄端５６は第２表面３２上の雌端５８とは反対のストラップ６２を介して同様に配置され、両方の固定端５６，５８が図１０に表わされているように第１表面３０上で一緒にかみ合うように第１表面３０の上部垂直部分６０を横切って横方向に配置可能である。カバー２０がバッグ首２４の周囲で折り重なるように折りたたまれるとき、ストラップは一緒にもたらされ、固定端５６，５８はカバー２０をぴんと張った状態でカバー２０を保持するように固定する。特に、固定端５６，５８は図２及び図３に表わされているようにカバー２０がジッパーで閉じられていないとき表面３０の内縁部分３８の分離によって形成された開口３９を横切って広がる。
【手続補正３】
【補正対象書類名】明細書
【補正対象項目名】００１６
【補正方法】変更
【補正の内容】
【００１６】
締め付け手段５４の各端５６，５８は二者択一に又は一緒にストラップ６２によって第２表面３２よりむしろ第１表面３０に付着させることもできる（但し、これは好ましい配置ではない）。とにかく、端５６，５８は一緒に固定されたとき、カバー２０がゴルフクラブの出し入れ又はゴルフバッグポケット７４へのアクセスを妨げないように奥まった状態でゴルフバッグ２６の首２４の周囲にうまく巻きつくようにカバー２０に付着されなければならない。別の例では、本発明の締め付け手段５４は図１１に表わされているように、二つのストラップ６２の端に取り付けたフック及びループファスナー（ｈｏｏｋ  ａｎｄ  ｌｏｏｐ  ｆａｓｔｅｎｅｒｓ）７６を含む。フック及びループファスナーの例はＶｅｌｃｒｏ（登録商標）ファスナーである。他の締め付け手段、例えばボタン、結び紐、ジッパー手段なども考えられるが、あまり好ましくない。
【手続補正４】
【補正対象書類名】明細書
【補正対象項目名】００１７
【補正方法】変更
【補正の内容】
【００１７】
カバー２０の詳細な記述に関して、カバー２０は半硬質であることが好ましいが、それでも使用していないとき都合の良い奥まった状態でバッグ首２４の周囲に位置するために折り曲げ可能なように折りたためることが好ましい。さらに、この状態へのカバー２０の折りたたみは成り行きまかせでないことが好ましい。むしろ、カバー２０はバッグ２６の首２４に付着された状態を維持しながら保管状態のカバー２０の新規な配置のための三つの新規な折り曲げ線７８，８０，８２について折り曲げ可能であることが好ましい。新規な折り曲げ線７８，８０，８２はカバー２０がバッグ首２４の周囲に効率的にぴったりとフィットするためにその寸法を減らすために３回実質的に折り曲げるようにカバー２０の防水材料に与えられる。第１折り曲げ線７８は継目４２（即ち、第２表面３２と第１表面３０の交わり）のほぼ付近に延びている。結果として、ジッパー４０が十分に開かれているとき、第１折り曲げ線７８は第１表面３０の水平部分の実質的全てが第２表面３２の内部に及び付近に折りたたむことを可能にする。第２折り曲げ線８０はバッグ２６の首２４に触れ合うカバー２０の第２表面３２に沿って延び、第２表面３２の内部が例えば図６に表わされているようにバッグ２６の首２４の付近を除いて折り曲げられた第１表面３０と同様に外側に面するようにバッグ２６の首２４についてカバー２０を折り曲げることを可能にする。最後に、第３折り曲げ線８２は第２表面３２を通って延び、第２表面３２を上方向にそれ自体再び折り曲げることを可能にする。従って、十分に折り曲げられ、折りたたまれた状態では、（ａ）第２表面３２の部分はゴルフバッグ首２４の付近に配置され、（ｂ）第１表面３０は第２表面３２の内部表面領域の間に挟まれ、（ｃ）第２表面３２の部分はゴルフバッグ首２４から外側に面する。ゴルフバッグ２６の周囲でカバー２０を下に折り曲げるとき、ショルダーストラップ４６のクリップ４８は環５０から離される。次いでカバー２０は環５０の上で下に折り曲げられ、次にショルダーストラップ４６のフック４８はショルダーストラップ４６が折りたたまれたカバー２０の上で延びるように環５０に再び付けられる。カバー２０はウインドブレーカー及びジャケットに設けられる巻き上げ式のフードと同様にゴルフバッグ２６の首２４の周囲に広がるジッパー袋中に巻き上げることができるフレキシブル材料（例えばナイロン）から構成してもよいと考えられる。しかしながら、本発明の好ましい例はカバー２０が厳しい天候条件中にゴルフクラブの限られた取り出しのために広げられた状態でジッパーが閉じられていないときに形を保持するように折り曲げ線７８，８０，８２を有する半硬質カバー２０を含む。
【手続補正５】
【補正対象書類名】明細書
【補正対象項目名】００１８
【補正方法】変更
【補正の内容】
【００１８】
使用中、ジッパー４０がカバー２０の頂部付近まで開放され、カバー２０が広げられた状態にあるとき、バッグ２４の内部、特にバッグ内のクラブへのアクセスが達成される。カバー２０の材料は好ましくは半硬質であるので、カバー２０はジッパー４０が閉じられた状態から開かれるときに実質的に広げられた形状を保持するだろう。従って、クラブはバッグ２６の首２４の周囲ですぐに折りたためるカバー２０なしで厳しい天候中でもうまく取り出すことができる。
【手続補正６】
【補正対象書類名】明細書
【補正対象項目名】００１９
【補正方法】変更
【補正の内容】
【００１９】
天候条件がもはやプレー中カバー２０の使用を必要としないとき、それはゴルフバッグ２６から都合良くはずされる。しかしながら、本発明によれば、カバー２０はバッグ内に含まれるクラブ及び首２４の開口をブロックせずにゴルフバッグ２６の首２４の周囲で完全に折りたたむことによってゴルフバッグ２６の首２４のまわりに都合良く折り曲げられ保管される。第１に、広げられた状態のカバー２０はジッパー４０によって完全に開けられる。第２に、第１表面３０は第２表面３２の内部表面領域に隣接するように図７の矢印７９によって示されているように第１折り曲げ線７８について下に折り曲げられる。第３に、第２表面３２はカバー２０がゴルフバッグ２６の首２４の下で広がり、ゴルフバッグ２６の首２４における開口及びその中の全てのクラブに自由にアクセスできるように第２折り曲げ線８０について下に折り曲げられる。あるいは工程２及び３を入れ替えることもできる。第４に、第２表面３２の上部分はゴルフバッグ２６のポケット７４に自由にアクセスでき、かつカバー２０が都合の良い新規な奥まった状態でゴルフバッグ２６の首２４のまわりに巻きつくように第３折り曲げ線８２について折り曲げられる。第５に及び最後に、ストラップ６２は開口３９を横切って広げられ、締め付け手段５４の雄及び雌端５６，５８はゴルフバッグ２６の首２４の周囲で緊張した状態にカバー２０を保持するようにかみ合わせてロックされる。そうして折り曲げられると、カバー２０は全てのポケット７４から遠いバッグ２６の首２４の周囲にぴったりと適合し、新規な締め付け手段５４によってかかる状態を維持される。締め付け手段はカバー２０の部分が連続プレー中にゴルフバッグ２６内のポケット７４をさえぎったりポケットにたれ下がったりしないようにバッグ２６の首２４のまわりでカバー２０を緊張しつづけるために固定することができる。さらに、カバーの新規な締め付け手段５４はカバー２０を使用していない場合、カバー２０がプレー後（即ち、ゴルフコースから及びゴルフコースへの輸送及びバッグの保管中）であっても首２４の周囲で維持できるように緊張した状態で首２４の周囲に都合良くしっかり保持することができる。
【手続補正７】
【補正対象書類名】明細書
【補正対象項目名】図面の簡単な説明
【補正方法】変更
【補正の内容】
【図面の簡単な説明】
【図１】
開放され、折り曲げられた状態のゴルフバッグに付着された本発明のゴルフクラブカバーの斜視図である。
【図２】
図１のゴルフクラブカバーの正面図である。
【図３】
図１のゴルフクラブカバーの後方斜視図である。
【図４】
図１のゴルフクラブカバーの側方斜視図である。
【図５】
開放され、折り曲げられているが、締め付けられていない状態の図１のゴルフクラブカバーの正面図である。
【図６】
図５のゴルフクラブカバーの後方斜視図である。
【図７】
広げられ、開放状態の図１のゴルフクラブカバーの正面図である。
【図８】
広げられ、閉じられた状態の図７のゴルフクラブカバーの正面図である。
【図９】
図８のゴルフクラブカバーの背面図である。
【図１０】
広げられ、閉じられた状態の図１のゴルフクラブカバーの斜視図である。
【図１１】
図２のゴルフクラブカバーの別の例の正面図である。